(57)【要約】【課題】ネジを用いることなく、額縁を狭めるデザインを達成できる表示装置を提供する。【解決手段】表示モジュール３と、表示モジュールの周囲に設けられた前キャビネット２と、表示モジュールの背面を覆う後キャビネット８とを備える。後キャビネットに形成され、前キャビネットの内壁４０に配置されるように延びたリブ部５１および後キャビネットの内壁５０にてリブ部よりも内側に形成された爪部５３と、前キャビネットの内壁に形成されリブ部を受容するリブ受容部４１とを有する。リブ受容部をリブ部および爪部で挟持した。【選択図】図４
2015056670.tif 000002
【特許請求の範囲】
【請求項１】
表示モジュールと、
前記表示モジュールの周囲に設けられた前キャビネットと、
前記表示モジュールの背面を覆う後キャビネットとを備え、
前記後キャビネットに形成され、前記前キャビネットの内壁に配置されるように延びたリブ部および前記後キャビネットの内壁にて前記リブ部よりも内側に形成された爪部と、前記前キャビネットの内壁に形成され前記リブ部を受容するリブ受容部とを有し、該リブ受容部を前記リブ部および前記爪部で挟持したことを特徴とする表示装置。
【請求項２】
表示モジュールと、
前記表示モジュールの周囲に設けられた前キャビネットと、
前記表示モジュールの背面を覆う後キャビネットとを備え、
前記前キャビネットに形成され、前記後キャビネットの内壁に配置されるように延びたリブ部および前記前キャビネットの内壁にて前記リブ部よりも内側に形成された爪部と、前記後キャビネットの内壁に形成され前記リブ部を受容するリブ受容部とを有し、該リブ受容部を前記リブ部および前記爪部で挟持したことを特徴とする表示装置。
【請求項３】
請求項１又は２に記載の表示装置であって、
前記リブ受容部は、前記爪部の着脱方向に沿って傾斜方向の異なるテーパ面を有し、
前記爪部を所定の挟持位置に装着する場合、前記爪部は、前記テーパ面に沿って前記リブ部から離れた後に前記リブ部に近づくことで前記リブ受容部を挟持し、前記爪部を前記リブ部との挟持位置から取り外す場合、前記爪部は、前記テーパ面に沿って前記リブ部から離れた後に前記リブ部に近づくことで前記リブ受容部から取り外されることを特徴とする表示装置。
【発明の詳細な説明】
【技術分野】
【０００１】
本発明は、表示装置に関し、詳細には、ネジを用いずに前キャビネットと後キャビネットとを連結させた表示装置に関する。
【背景技術】
【０００２】
薄型テレビ等の液晶表示装置は、液晶パネルやＬＥＤ（Light Emitting Diode）光源などを含む表示モジュールを有する。液晶パネルの周囲には前キャビネットが設けられ、表示モジュールの背面側は後キャビネットで覆われている。そして、前キャビネットと後キャビネットとをネジ止めする構造が知られている。
ここで、ネジを用いる場合、ネジの締結領域などが必要になるので、額縁を狭めるデザイン（狭額構造ともいう）の達成が困難になる。
【０００３】
一方、前キャビネットと後キャビネットとを連結する際には、前キャビネットに対する後キャビネットの位置決め工程や、前キャビネットと後キャビネットの固定工程を要する。これら２つの工程を１つの工程にまとめることができれば、組み立て作業が容易になる。そこで、例えば、特許文献１のように、外方に突出した凸部と、この凸部に向けて開口する凹部との係合によってネジを省略する技術を利用することも考えられる。
【先行技術文献】
【特許文献】
【０００４】
【特許文献１】特開２００７−８１９１９号公報
【発明の概要】
【発明が解決しようとする課題】
【０００５】
しかしながら、上記特許文献１の技術を液晶表示装置に適用しても、凸部は前キャビネットの厚み部分に向けて形成され、表示モジュールを配置した前キャビネットの内壁に向けて延びていない。つまり、前キャビネットと後キャビネットとは、前キャビネットの内側では連結できず、前キャビネットの内壁よりも外側で連結される。このため、前キャビネットや後キャビネットの大きさを表示モジュールの大きさに近づけ難くなり、額縁を狭めるデザインの達成が依然として困難になるという問題がある。
【０００６】
本発明は、上述のような実情に鑑みてなされたもので、ネジを用いることなく、額縁を狭めるデザインを達成できる表示装置を提供することを目的とする。
【課題を解決するための手段】
【０００７】
上記課題を解決するために、本発明の第１の技術手段は、表示モジュールと、前記表示モジュールの周囲に設けられた前キャビネットと、前記表示モジュールの背面を覆う後キャビネットとを備え、前記後キャビネットに形成され、前記前キャビネットの内壁に配置されるように延びたリブ部および前記後キャビネットの内壁にて前記リブ部よりも内側に形成された爪部と、前記前キャビネットの内壁に形成され前記リブ部を受容するリブ受容部とを有し、該リブ受容部を前記リブ部および前記爪部で挟持したことを特徴としたものである。
【０００８】
第２の技術手段は、表示モジュールと、前記表示モジュールの周囲に設けられた前キャビネットと、前記表示モジュールの背面を覆う後キャビネットとを備え、前記前キャビネットに形成され、前記後キャビネットの内壁に配置されるように延びたリブ部および前記前キャビネットの内壁にて前記リブ部よりも内側に形成された爪部と、前記後キャビネットの内壁に形成され前記リブ部を受容するリブ受容部とを有し、該リブ受容部を前記リブ部および前記爪部で挟持したことを特徴としたものである。
【０００９】
第３の技術手段は、第１又は第２の技術手段において、前記リブ受容部は、前記爪部の着脱方向に沿って傾斜方向の異なるテーパ面を有し、前記爪部を所定の挟持位置に装着する場合、前記爪部は、前記テーパ面に沿って前記リブ部から離れた後に前記リブ部に近づくことで前記リブ受容部を挟持し、前記爪部を前記リブ部との挟持位置から取り外す場合、前記爪部は、前記テーパ面に沿って前記リブ部から離れた後に前記リブ部に近づくことで前記リブ受容部から取り外されることを特徴としたものである。
【発明の効果】
【００１０】
本発明によれば、リブ受容部が前キャビネットの内壁との間でリブ部を受容し、このリブ受容部は後キャビネットに形成されたリブ部および爪部で挟んで支持されている。このため、前キャビネットに対する後キャビネットの位置決め機構と、前キャビネットおよび後キャビネットの固定機構を兼ねることができる。そして、リブ受容部が前キャビネットの内壁に形成されることから、これらの連結は、前キャビネットおよび後キャビネットの内側で行える。この結果、前キャビネットや後キャビネットの大きさを表示モジュールの大きさに近づけ易くなり、前キャビネットの内壁と表示モジュールの端面との空間を小さくした、額縁を狭めるデザインが達成可能になる。
【図面の簡単な説明】
【００１１】
【図１】本発明による表示装置の外観の一例を示す図である。
【図２】図１に示す表示装置から後キャビネットを取り外した状態を示す図である。
【図３】図１に示す表示装置の内部構造を分解した状態の一例を示す図である。
【図４】図３の前キャビネットおよび後キャビネットの構造の一例を示す図である。
【図５】図３の前キャビネットと後キャビネットとの組み立てを説明する図である。
【図６】図３の前キャビネットと後キャビネットとの組み立てを説明する図である。
【図７】図３の前キャビネットおよび後キャビネットの構造の他の例を示す図である。
【発明を実施するための形態】
【００１２】
（実施例１）
以下、添付図面を参照しながら、本発明の表示装置に係る好適な実施の形態について説明する。
図１は、本発明による表示装置の外観の一例を示す図である。図１（Ａ）は表示装置を正面から見た状態を示し、図１（Ｂ）は表示装置を背面から見た状態を示し、図１（Ｃ）は表示装置を左側面から見た状態を示す。図中、１は例えば液晶表示装置、２は前キャビネット、３はパネルモジュール、４は液晶パネル、８は後キャビネット、９はスタンド、１０はコード引出部、１１は端子引出部、１２はスロットを示す。
【００１３】
液晶パネル４は、２枚のガラス基板間に液晶を挟持した構造を有し、液晶を形成する液晶分子の配向状態が制御されることで、後述するパネルモジュール内の導光板から出射された光の透過／遮断を制御する光シャッタとしての機能を有する。
また、前キャビネット２は、例えば、樹脂製の枠形状で形成され、液晶パネル４の周囲に設けられる。
【００１４】
樹脂製の後キャビネット８は、パネルモジュール３の背面側を覆っており、その中央位置には、液晶表示装置１を支持するスタンド９が取り付けられている。後キャビネット８には、後述の電源基板側から電源コードを引き出すためのコード引出部１０や、メイン基板側から各種接続端子を引き出すための端子引出部１１が形成される。また、後キャビネット８の左側面には、液晶表示装置１に差し込まれるＩＣカード用のスロット１２が設けられている。
【００１５】
図２は、図１に示す表示装置から後キャビネットを取り外した状態を示す図であり、図３は、図１に示す表示装置の内部構造を分解した状態の一例を示す図である。
前キャビネット２は、上面２ａ、左面２ｂ、下面２ｃ、右面２ｄが連結して枠形状をなし、パネルモジュール３の上面３ａ、左面３ｂ、下面３ｃ、右面３ｄにそれぞれ対向している。パネルモジュール３は、その図示は省略するが、液晶パネル４の背面側に、光学シート、導光板、反射シート等を有し、この反射シートの背面側に背面シャーシ５を有している。なお、パネルモジュールが本発明の表示モジュールに相当する。
【００１６】
光学シートは、例えば、２枚のマイクロレンズシートと、１枚の輝度向上シートとで構成され、導光板から出射された光の均一化や、正面方向の輝度を向上させるなどの機能を有する。導光板は、アクリルなどの透明な樹脂で形成され、例えば、エッジライト型のＬＥＤ光源からの光を正面側に位置した液晶パネル４に出射する。反射シートは、ＬＥＤ光源から出射した光のうち、導光板に入射しない光を反射して導光板に入射させるなどの機能を有する。
【００１７】
背面シャーシ５は、導光板及び反射シート等を保持し、これらの取り付け台として機能する。
後キャビネット８を取り外した状態では、背面シャーシ５、電源基板６、メイン基板７、補強金具２０，３０等が見えている。メイン基板７には、外部接続端子７ａ、放熱板７ｂやＩＣカード用のカバー７ｃが設けられている。
【００１８】
補強金具２０，３０は、液晶表示装置１の上下方向に延びてパネルモジュール３の左右両端近傍に配置されている。補強金具２０，３０は、例えば、鉄などの金属で形成され、パネルモジュール３の上面３ａと下面３ｃとを連結している。
後キャビネット８は、補強金具２０，３０に対応した位置、例えば、上側のコーナ部分の周辺にて補強金具２０，３０にネジ止めされる。これにより、前キャビネットには、後キャビネットと連結するためのボスなどを設けなくて済み、この点も額縁を狭めるデザインの達成に寄与する。
【００１９】
図４は、図３の前キャビネットおよび後キャビネットの構造の一例を示す図である。また、図５や図６は、図３の前キャビネットと後キャビネットとの組み立てを説明する図であり、図５（Ａ）は組み立て前を、図５（Ｂ）は組み立て後を示している。図６は、図５（Ｂ）のＶＩ−ＶＩ線の矢視断面図である。前キャビネット２と後キャビネット８とは、位置決め機構と固定機構を兼ねる構造を有している。
【００２０】
詳しくは、例えば、図３の手前側（図２の左側）に位置した前キャビネット２の右面２ｄと対応する後キャビネット８の手前側とを例に挙げて説明すると、図４に示すように、後キャビネット８の周縁にはリブ部５１が形成され、リブ部５１の先端５２は、組み立てた際に前キャビネット２の右面２ｄの内壁４０に配置されるように延びている。また、リブ部５１よりも内側には爪部５３が形成されており、爪部５３のヘッド５４も右面２ｄの内壁４０に配置されるように延びている。爪部５３の根元は湾曲部分を有し、リブ部５１寄りの位置で後キャビネット８の内壁５０に一体成形されている。
【００２１】
一方、前キャビネット２には、右面２ｄの内壁４０にリブ受容部４１が形成されている。リブ受容部４１は、リブ部５１を受容する溝４２を有し、溝４２よりも内側には山型のテーパ面４３が形成されている。テーパ面４３は、爪部５３の着脱方向に沿って傾斜方向の異なるテーパを有している。
なお、前キャビネット２の上面２ａや左面２ｂにもリブ受容部が形成され、また、後キャビネット８の対応位置にもリブ部や爪部が形成されており、互いに固着可能である。
【００２２】
そして、前キャビネット２と後キャビネット８とを連結する場合、まず、図４や図５（Ａ）の状態からリブ部５１の先端５２がリブ受容部４１の溝４２に収まり、前キャビネット２に対する後キャビネット８の位置を決めることができる。
リブ部５１がリブ受容部４１に収まる際、爪部５３は撓み、そのヘッド５４はテーパ面４３に沿ってリブ部５１から離れる方向に移動する。ヘッド５４は、テーパ面４３の頂部分を乗り越えた後、テーパ面４３に沿ってリブ部５１に近づく方向に移動して所定の挟持位置に到達する。これにより、図５（Ｂ）や図６に示すように、リブ受容部４１はリブ部５１および爪部５３で挟持され、前キャビネット２および後キャビネット８の固定が完了する。
【００２３】
これに対し、前キャビネット２と後キャビネット８とを分解する場合、図５（Ｂ）や図６の状態において、後キャビネット８を前キャビネット２から引き離す方向に力を加えると、爪部５３は撓み、そのヘッド５４は、テーパ面４３に沿ってリブ部５１から離れる方向に移動する。ヘッド５４がテーパ面４３の頂部分を乗り越えると、リブ部５１および爪部５３によるリブ受容部４１の挟持状態が解除される。その後、ヘッド５４は、テーパ面４３に沿ってリブ部５１に近づく方向に移動するので、爪部５３の撓みは解消される。
【００２４】
このように、リブ受容部４１が前キャビネット２の内壁４０との間でリブ部５１を受容し、このリブ受容部４１は後キャビネット８に形成されたリブ部５１および爪部５３で挟んで支持されている。このため、前キャビネット２に対する後キャビネット８の位置決め機構と、前キャビネット２および後キャビネット８の固定機構を兼ねることができ、また、ネジを用いずに実現できる。よって、前キャビネットと後キャビネットとをネジ止めする場合に比べて部品点数や作業工数を削減できる。さらに、ネジを用いないため、組み合わせた前キャビネット２と後キャビネット８との分解も容易である。
【００２５】
そして、リブ受容部４１が前キャビネット２の内壁４０に形成されることから、これら前キャビネット２と後キャビネット８との連結は、前キャビネット２および後キャビネット８の内側で行える。この結果、前キャビネット２や後キャビネット８の大きさをパネルモジュール３の大きさに近づけ易くなり、前キャビネット２の内壁４０とパネルモジュール３の端面との空間を小さくした、額縁を狭めるデザインを達成することができる。
【００２６】
（実施例２）
図７は、図３の前キャビネットおよび後キャビネットの構造の他の例を示す図である。上記実施例では、前キャビネットがリブ受容部を有し、後キャビネットがリブ部や爪部を有した構造の例に挙げて説明している。しかし、本発明は、必ずしもこの形態に限定されるものではなく、前キャビネットがリブ部や爪部を有し、後キャビネットがリブ受容部を有してもよい。
【００２７】
詳しくは、図７に示すように、前キャビネット２の周縁にはリブ部６１が形成され、リブ部６１の先端６２は、組み立てた際に後キャビネット８の内壁５０に配置されるように延びている。また、リブ部６１よりも内側には爪部６３が形成されており、爪部６３のヘッド６４も内壁５０に配置されるように延びている。爪部６３の根元は湾曲部分を有し、リブ部６１寄りの位置で前キャビネット２の右面２ｄの内壁４０に一体成形されている。
【００２８】
一方、後キャビネット８には、内壁５０にリブ受容部７１が形成されている。リブ受容部７１は、リブ部６１を受容する溝７２を有し、溝７２よりも内側には山型のテーパ面７３が形成されている。テーパ面７３は、爪部６３の着脱方向に沿って傾斜方向の異なるテーパを有している。
そして、この場合にも、リブ受容部７１をリブ部６１および爪部６３で挟持しており、上記と同様に、前キャビネットに対する後キャビネットの位置決め、および前キャビネットと後キャビネットとの固定を、ネジを用いずに実現できる。
【００２９】
また、液晶テレビの液晶パネルモジュールについて記述したが、本発明は、それに限られることなく、他の表示装置についても適用できる。表示部分がモジュール構造であればよく、有機ＥＬ、プラズマ等であってもよい。
【００３０】
以上、実施例について説明したが、本発明は、表示モジュールと、前記表示モジュールの周囲に設けられた前キャビネットと、前記表示モジュールの背面を覆う後キャビネットとを備え、前記後キャビネットに形成され、前記前キャビネットの内壁に配置されるように延びたリブ部および前記後キャビネットの内壁にて前記リブ部よりも内側に形成された爪部と、前記前キャビネットの内壁に形成され前記リブ部を受容するリブ受容部とを有し、該リブ受容部を前記リブ部および前記爪部で挟持してもよい。リブ受容部が前キャビネットの内壁との間でリブ部を受容し、このリブ受容部は後キャビネットに形成されたリブ部および爪部で挟んで支持されている。このため、前キャビネットに対する後キャビネットの位置決め機構と、前キャビネットおよび後キャビネットの固定機構を兼ねることができ、また、ネジを用いずに実現できる。よって、前キャビネットと後キャビネットとをネジ止めする場合に比べて部品点数や作業工数を削減できる。さらに、ネジを用いないため、組み合わせた前キャビネットと後キャビネットとの分解も容易である。そして、リブ受容部が前キャビネットの内壁に形成されることから、これらの連結は、前キャビネットおよび後キャビネットの内側で行える。この結果、前キャビネットや後キャビネットの大きさを表示モジュールの大きさに近づけ易くなり、前キャビネットの内壁と表示モジュールの端面との空間を小さくした、額縁を狭めるデザインが達成可能になる。
【００３１】
また、表示モジュールと、前記表示モジュールの周囲に設けられた前キャビネットと、前記表示モジュールの背面を覆う後キャビネットとを備え、前記前キャビネットに形成され、前記後キャビネットの内壁に配置されるように延びたリブ部および前記前キャビネットの内壁にて前記リブ部よりも内側に形成された爪部と、前記後キャビネットの内壁に形成され前記リブ部を受容するリブ受容部とを有し、該リブ受容部を前記リブ部および前記爪部で挟持してもよい。リブ受容部が後キャビネットの内壁との間でリブ部を受容し、このリブ受容部は前キャビネットに形成されたリブ部および爪部で挟んで支持されている。このため、前キャビネットに対する後キャビネットの位置決め機構と、前キャビネットおよび後キャビネットの固定機構を兼ねることができ、また、ネジを用いずに実現できる。よって、前キャビネットと後キャビネットとをネジ止めする場合に比べて部品点数や作業工数を削減できる。さらに、ネジを用いないため、組み合わせた前キャビネットと後キャビネットとの分解も容易である。そして、リブ受容部が後キャビネットの内壁に形成されることから、これらの連結は、前キャビネットおよび後キャビネットの内側で行える。この結果、前キャビネットや後キャビネットの大きさを表示モジュールの大きさに近づけ易くなり、前キャビネットの内壁と表示モジュールの端面との空間を小さくした、額縁を狭めるデザインが達成可能になる。
【００３２】
また、前記リブ受容部は、前記爪部の着脱方向に沿って傾斜方向の異なるテーパ面を有し、前記爪部を所定の挟持位置に装着する場合、前記爪部は、前記テーパ面に沿って前記リブ部から離れた後に前記リブ部に近づくことで前記リブ受容部を挟持し、前記爪部を前記リブ部との挟持位置から取り外す場合、前記爪部は、前記テーパ面に沿って前記リブ部から離れた後に前記リブ部に近づくことで前記リブ受容部から取り外されてもよい。この場合、爪部は、リブ部から離れた後にリブ部に近づくように移動するので、所定の挟持位置への装着や所定の挟持位置からの分解を容易に実施することができる。
【符号の説明】
【００３３】
１…液晶表示装置、２…前キャビネット、２ａ，３ａ…上面、２ｂ，３ｂ…左面、２ｃ，３ｃ…下面、２ｄ，３ｄ…右面、２ｅ…突部、３…パネルモジュール、４…液晶パネル、５…背面シャーシ、６…電源基板、７…メイン基板、７ａ…外部接続端子、７ｂ…放熱板、７ｃ…カバー、８…後キャビネット、９…スタンド、１０…コード引出部、１１…端子引出部、１２…スロット、２０，３０…補強金具、４０，５０…内壁、４１，７１…リブ受容部、４２，７２…溝、４３，７３…テーパ面、５１，６１…リブ部、５２，６２…先端、５３，６３…爪部、５４，６４…ヘッド。
【図１】
2015056670.tif 000003
【図２】
2015056670.tif 000004
【図３】
2015056670.tif 000005
【図４】
2015056670.tif 000006
【図５】
2015056670.tif 000007
【図６】
2015056670.tif 000008
【図７】
2015056670.tif 000009
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
所定の被収容物の周囲に設けられた前キャビネットと、
前記所定の被収容物の背面を覆う後キャビネットとを備え、
前記後キャビネットに形成され、前記前キャビネットの内壁に配置されるように延びたリブ部および前記後キャビネットの内壁にて前記リブ部よりも内側に形成された爪部と、前記前キャビネットの内壁に形成され前記リブ部を受容するリブ受容部とを有し、該リブ受容部を前記リブ部および前記爪部で挟持したことを特徴とする筐体。
【請求項２】
所定の被収容物の周囲に設けられた前キャビネットと、
前記所定の被収容物の背面を覆う後キャビネットとを備え、
前記前キャビネットに形成され、前記後キャビネットの内壁に配置されるように延びたリブ部および前記前キャビネットの内壁にて前記リブ部よりも内側に形成された爪部と、前記後キャビネットの内壁に形成され前記リブ部を受容するリブ受容部とを有し、該リブ受容部を前記リブ部および前記爪部で挟持したことを特徴とする筐体。
【請求項３】
請求項１又は２に記載の筐体であって、
前記爪部が、環状に形成されると共に、前記前キャビネットと前記後キャビネットとを連結あるいは分解する場合、前記リブ受容部との接触によって撓むことを特徴とする筐体。
【請求項４】
請求項１から３のいずれか１項に記載の筐体であって、
前記リブ受容部は、前記爪部の着脱方向に沿って傾斜方向の異なるテーパ面を有し、
前記爪部を所定の挟持位置に装着する場合、前記爪部は、前記テーパ面に沿って前記リブ部から離れた後に前記リブ部に近づくことで前記リブ受容部を挟持し、前記爪部を前記リブ部との挟持位置から取り外す場合、前記爪部は、前記テーパ面に沿って前記リブ部から離れた後に前記リブ部に近づくことで前記リブ受容部から取り外されることを特徴とする筐体。
【請求項５】
請求項１から４のいずれか１項に記載の筐体を備えた表示装置であって、
前記所定の被収容物が表示モジュールであることを特徴とする表示装置。
【手続補正２】
【補正対象書類名】明細書
【補正対象項目名】全文
【補正方法】変更
【補正の内容】
【発明の詳細な説明】
【技術分野】
【０００１】
本発明は、筐体および表示装置に関し、詳細には、ネジを用いずに前キャビネットと後キャビネットとを連結させた筐体および表示装置に関する。
【背景技術】
【０００２】
薄型テレビ等の液晶表示装置は、液晶パネルやＬＥＤ（Light Emitting Diode）光源などを含む表示モジュールを有する。液晶パネルの周囲には前キャビネットが設けられ、表示モジュールの背面側は後キャビネットで覆われている。そして、前キャビネットと後キャビネットとをネジ止めする構造が知られている。
ここで、ネジを用いる場合、ネジの締結領域などが必要になるので、額縁を狭めるデザイン（狭額構造ともいう）の達成が困難になる。
【０００３】
一方、前キャビネットと後キャビネットとを連結する際には、前キャビネットに対する後キャビネットの位置決め工程や、前キャビネットと後キャビネットの固定工程を要する。これら２つの工程を１つの工程にまとめることができれば、組み立て作業が容易になる。そこで、例えば、特許文献１のように、外方に突出した凸部と、この凸部に向けて開口する凹部との係合によってネジを省略する技術を利用することも考えられる。
また、特許文献２には、キャビネット同士を固定する技術が開示されており、例えば、前キャビネット（第２キャビネット）に設けられた固定爪を後キャビネット（第１キャビネット）に形成された凹所（凹の部分）に嵌め込んでいる。
【先行技術文献】
【特許文献】
【０００４】
【特許文献１】特開２００７−８１９１９号公報
【特許文献２】特許第４３６０９２１号公報
【発明の概要】
【発明が解決しようとする課題】
【０００５】
しかしながら、上記特許文献１の技術を液晶表示装置に適用しても、凸部は前キャビネットの厚み部分に向けて形成され、表示モジュールを配置した前キャビネットの内壁に向けて延びていない。つまり、前キャビネットと後キャビネットとは、前キャビネットの内側では連結できず、前キャビネットの内壁よりも外側で連結される。このため、前キャビネットや後キャビネットの大きさを表示モジュールの大きさに近づけ難くなり、額縁を狭めるデザインの達成が依然として困難になるという問題がある。
また、上記特許文献２に記載の技術では、凹所を形成した箇所が薄くなって強度不足を招くし、また、第１キャビネットを外側に広げる、あるいは第２キャビネットを内側に狭めてから嵌め合わせるため、キャビネットを曲げ続ける力が別途必要になる。
【０００６】
本発明は、上述のような実情に鑑みてなされたもので、ネジを用いることなく、額縁を狭めるデザインを達成できる筐体および表示装置を提供することを目的とする。
【課題を解決するための手段】
【０００７】
上記課題を解決するために、本発明の第１の技術手段は、所定の被収容物の周囲に設けられた前キャビネットと、前記所定の被収容物の背面を覆う後キャビネットとを備え、前記後キャビネットに形成され、前記前キャビネットの内壁に配置されるように延びたリブ部および前記後キャビネットの内壁にて前記リブ部よりも内側に形成された爪部と、前記前キャビネットの内壁に形成され前記リブ部を受容するリブ受容部とを有し、該リブ受容部を前記リブ部および前記爪部で挟持したことを特徴としたものである。
【０００８】
第２の技術手段は、所定の被収容物の周囲に設けられた前キャビネットと、前記所定の被収容物の背面を覆う後キャビネットとを備え、前記前キャビネットに形成され、前記後キャビネットの内壁に配置されるように延びたリブ部および前記前キャビネットの内壁にて前記リブ部よりも内側に形成された爪部と、前記後キャビネットの内壁に形成され前記リブ部を受容するリブ受容部とを有し、該リブ受容部を前記リブ部および前記爪部で挟持したことを特徴としたものである。
第３の技術手段は、第１又は第２の技術手段において、前記爪部が、環状に形成されると共に、前記前キャビネットと前記後キャビネットとを連結あるいは分解する場合、前記リブ受容部との接触によって撓むことを特徴としたものである。
【０００９】
第４の技術手段は、第１から第３のいずれか１の技術手段において、前記リブ受容部は、前記爪部の着脱方向に沿って傾斜方向の異なるテーパ面を有し、前記爪部を所定の挟持位置に装着する場合、前記爪部は、前記テーパ面に沿って前記リブ部から離れた後に前記リブ部に近づくことで前記リブ受容部を挟持し、前記爪部を前記リブ部との挟持位置から取り外す場合、前記爪部は、前記テーパ面に沿って前記リブ部から離れた後に前記リブ部に近づくことで前記リブ受容部から取り外されることを特徴としたものである。
第５の技術手段は、第１から第４のいずれか１の技術手段を備え、前記所定の被収容物が表示モジュールであることを特徴としたものである。
【発明の効果】
【００１０】
本発明によれば、リブ受容部が前キャビネットの内壁との間でリブ部を受容し、このリブ受容部は後キャビネットに形成されたリブ部および爪部で挟んで支持されている。このため、前キャビネットに対する後キャビネットの位置決め機構と、前キャビネットおよび後キャビネットの固定機構を兼ねることができる。そして、リブ受容部が前キャビネットの内壁に形成されることから、これらの連結は、前キャビネットおよび後キャビネットの内側で行える。この結果、前キャビネットや後キャビネットの大きさを表示モジュールの大きさに近づけ易くなり、前キャビネットの内壁と表示モジュールの端面との空間を小さくした、額縁を狭めるデザインが達成可能になる。
【図面の簡単な説明】
【００１１】
【図１】本発明による表示装置の外観の一例を示す図である。
【図２】図１に示す表示装置から後キャビネットを取り外した状態を示す図である。
【図３】図１に示す表示装置の内部構造を分解した状態の一例を示す図である。
【図４】図３の前キャビネットおよび後キャビネットの構造の一例を示す図である。
【図５】図３の前キャビネットと後キャビネットとの組み立てを説明する図である。
【図６】図３の前キャビネットと後キャビネットとの組み立てを説明する図である。
【図７】図３の前キャビネットおよび後キャビネットの構造の他の例を示す図である。
【発明を実施するための形態】
【００１２】
（実施例１）
以下、添付図面を参照しながら、本発明の表示装置に係る好適な実施の形態について説明する。
図１は、本発明による表示装置の外観の一例を示す図である。図１（Ａ）は表示装置を正面から見た状態を示し、図１（Ｂ）は表示装置を背面から見た状態を示し、図１（Ｃ）は表示装置を左側面から見た状態を示す。図中、１は例えば液晶表示装置、２は前キャビネット、３はパネルモジュール、４は液晶パネル、８は後キャビネット、９はスタンド、１０はコード引出部、１１は端子引出部、１２はスロットを示す。
【００１３】
液晶パネル４は、２枚のガラス基板間に液晶を挟持した構造を有し、液晶を形成する液晶分子の配向状態が制御されることで、後述するパネルモジュール内の導光板から出射された光の透過／遮断を制御する光シャッタとしての機能を有する。
また、前キャビネット２は、例えば、樹脂製の枠形状で形成され、液晶パネル４の周囲に設けられる。
【００１４】
樹脂製の後キャビネット８は、パネルモジュール３の背面側を覆っており、その中央位置には、液晶表示装置１を支持するスタンド９が取り付けられている。後キャビネット８には、後述の電源基板側から電源コードを引き出すためのコード引出部１０や、メイン基板側から各種接続端子を引き出すための端子引出部１１が形成される。また、後キャビネット８の左側面には、液晶表示装置１に差し込まれるＩＣカード用のスロット１２が設けられている。
【００１５】
図２は、図１に示す表示装置から後キャビネットを取り外した状態を示す図であり、図３は、図１に示す表示装置の内部構造を分解した状態の一例を示す図である。
前キャビネット２は、上面２ａ、左面２ｂ、下面２ｃ、右面２ｄが連結して枠形状をなし、パネルモジュール３の上面３ａ、左面３ｂ、下面３ｃ、右面３ｄにそれぞれ対向している。パネルモジュール３は、その図示は省略するが、液晶パネル４の背面側に、光学シート、導光板、反射シート等を有し、この反射シートの背面側に背面シャーシ５を有している。なお、前キャビネットと後キャビネットとを組み合わせたものが本発明の筐体に相当し、また、パネルモジュールが本発明の所定の被収容物あるいは表示モジュールに相当する。
【００１６】
光学シートは、例えば、２枚のマイクロレンズシートと、１枚の輝度向上シートとで形成され、導光板から出射された光の均一化や、正面方向の輝度を向上させるなどの機能を有する。導光板は、アクリルなどの透明な樹脂で形成され、例えば、エッジライト型のＬＥＤ光源からの光を正面側に位置した液晶パネル４に出射する。反射シートは、ＬＥＤ光源から出射した光のうち、導光板に入射しない光を反射して導光板に入射させるなどの機能を有する。
【００１７】
背面シャーシ５は、導光板及び反射シート等を保持し、これらの取り付け台として機能する。
後キャビネット８を取り外した状態では、背面シャーシ５、電源基板６、メイン基板７、補強金具２０，３０等が見えている。メイン基板７には、外部接続端子７ａ、放熱板７ｂやＩＣカード用のカバー７ｃが設けられている。
【００１８】
補強金具２０，３０は、液晶表示装置１の上下方向に延びてパネルモジュール３の左右両端近傍に配置されている。補強金具２０，３０は、例えば、鉄などの金属で形成され、パネルモジュール３の上面３ａと下面３ｃとを連結している。
後キャビネット８は、補強金具２０，３０に対応した位置、例えば、上側のコーナ部分の周辺にて補強金具２０，３０にネジ止めされる。これにより、前キャビネットには、後キャビネットと連結するためのボスなどを設けなくて済み、この点も額縁を狭めるデザインの達成に寄与する。
【００１９】
図４は、図３の前キャビネットおよび後キャビネットの構造の一例を示す図である。また、図５や図６は、図３の前キャビネットと後キャビネットとの組み立てを説明する図であり、図５（Ａ）は組み立て前を、図５（Ｂ）は組み立て後を示している。図６は、図５（Ｂ）のＶＩ−ＶＩ線の矢視断面図である。前キャビネット２と後キャビネット８とは、位置決め機構と固定機構を兼ねる構造を有している。
【００２０】
詳しくは、例えば、図３の手前側（図２の左側）に位置した前キャビネット２の右面２ｄと対応する後キャビネット８の手前側とを例に挙げて説明すると、図４に示すように、後キャビネット８の周縁にはリブ部５１が形成され、リブ部５１の先端５２は、組み立てた際に前キャビネット２の右面２ｄの内壁４０に配置されるように延びている。また、リブ部５１よりも内側には爪部５３が形成されており、爪部５３のヘッド５４も右面２ｄの内壁４０に配置されるように延びている。爪部５３の根元は湾曲部分を有し、リブ部５１寄りの位置で後キャビネット８の内壁５０に一体成形されている。
【００２１】
一方、前キャビネット２には、右面２ｄの内壁４０にリブ受容部４１が形成されている。リブ受容部４１は、リブ部５１を受容する溝４２を有し、溝４２よりも内側には山型のテーパ面４３が形成されている。テーパ面４３は、爪部５３の着脱方向に沿って傾斜方向の異なるテーパを有している。
なお、前キャビネット２の上面２ａや左面２ｂにもリブ受容部が形成され、また、後キャビネット８の対応位置にもリブ部や爪部が形成されており、互いに固着可能である。
【００２２】
そして、前キャビネット２と後キャビネット８とを連結する場合、まず、図４や図５（Ａ）の状態からリブ部５１の先端５２がリブ受容部４１の溝４２に収まり、前キャビネット２に対する後キャビネット８の位置を決めることができる。
リブ部５１がリブ受容部４１に収まる際、爪部５３は撓み、そのヘッド５４はテーパ面４３に沿ってリブ部５１から離れる方向に移動する。ヘッド５４は、テーパ面４３の頂部分を乗り越えた後、テーパ面４３に沿ってリブ部５１に近づく方向に移動して所定の挟持位置に到達する。これにより、図５（Ｂ）や図６に示すように、リブ受容部４１はリブ部５１および爪部５３で挟持され、前キャビネット２および後キャビネット８の固定が完了する。
【００２３】
これに対し、前キャビネット２と後キャビネット８とを分解する場合、図５（Ｂ）や図６の状態において、後キャビネット８を前キャビネット２から引き離す方向に力を加えると、爪部５３は撓み、そのヘッド５４は、テーパ面４３に沿ってリブ部５１から離れる方向に移動する。ヘッド５４がテーパ面４３の頂部分を乗り越えると、リブ部５１および爪部５３によるリブ受容部４１の挟持状態が解除される。その後、ヘッド５４は、テーパ面４３に沿ってリブ部５１に近づく方向に移動するので、爪部５３の撓みは解消される。
【００２４】
このように、リブ受容部４１が前キャビネット２の内壁４０との間でリブ部５１を受容し、このリブ受容部４１は後キャビネット８に形成されたリブ部５１および爪部５３で挟んで支持されている。このため、前キャビネット２に対する後キャビネット８の位置決め機構と、前キャビネット２および後キャビネット８の固定機構を兼ねることができ、また、ネジを用いずに実現できる。よって、前キャビネットと後キャビネットとをネジ止めする場合に比べて部品点数や作業工数を削減できる。さらに、ネジを用いないため、組み合わせた前キャビネット２と後キャビネット８との分解も容易である。
【００２５】
そして、リブ受容部４１が前キャビネット２の内壁４０に形成されることから、これら前キャビネット２と後キャビネット８との連結は、前キャビネット２および後キャビネット８の内側で行える。この結果、前キャビネット２や後キャビネット８の大きさをパネルモジュール３の大きさに近づけ易くなり、前キャビネット２の内壁４０とパネルモジュール３の端面との空間を小さくした、額縁を狭めるデザインを達成することができる。
【００２６】
（実施例２）
図７は、図３の前キャビネットおよび後キャビネットの構造の他の例を示す図である。上記実施例では、前キャビネットがリブ受容部を有し、後キャビネットがリブ部や爪部を有した構造の例に挙げて説明している。しかし、本発明は、必ずしもこの形態に限定されるものではなく、前キャビネットがリブ部や爪部を有し、後キャビネットがリブ受容部を有してもよい。
【００２７】
詳しくは、図７に示すように、前キャビネット２の周縁にはリブ部６１が形成され、リブ部６１の先端６２は、組み立てた際に後キャビネット８の内壁５０に配置されるように延びている。また、リブ部６１よりも内側には爪部６３が形成されており、爪部６３のヘッド６４も内壁５０に配置されるように延びている。爪部６３の根元は湾曲部分を有し、リブ部６１寄りの位置で前キャビネット２の右面２ｄの内壁４０に一体成形されている。
【００２８】
一方、後キャビネット８には、内壁５０にリブ受容部７１が形成されている。リブ受容部７１は、リブ部６１を受容する溝７２を有し、溝７２よりも内側には山型のテーパ面７３が形成されている。テーパ面７３は、爪部６３の着脱方向に沿って傾斜方向の異なるテーパを有している。
そして、この場合にも、リブ受容部７１をリブ部６１および爪部６３で挟持しており、上記と同様に、前キャビネットに対する後キャビネットの位置決め、および前キャビネットと後キャビネットとの固定を、ネジを用いずに実現できる。
【００２９】
また、液晶テレビの液晶パネルモジュールについて記述したが、本発明は、それに限られることなく、他の表示装置についても適用できる。表示部分がモジュール構造であればよく、有機ＥＬ、プラズマ等であってもよい。
【００３０】
以上、実施例について説明したが、本発明は、所定の被収容物の周囲に設けられた前キャビネットと、前記所定の被収容物の背面を覆う後キャビネットとを備え、前記後キャビネットに形成され、前記前キャビネットの内壁に配置されるように延びたリブ部および前記後キャビネットの内壁にて前記リブ部よりも内側に形成された爪部と、前記前キャビネットの内壁に形成され前記リブ部を受容するリブ受容部とを有し、該リブ受容部を前記リブ部および前記爪部で挟持してもよい。リブ受容部が前キャビネットの内壁との間でリブ部を受容し、このリブ受容部は後キャビネットに形成されたリブ部および爪部で挟んで支持されている。このため、前キャビネットに対する後キャビネットの位置決め機構と、前キャビネットおよび後キャビネットの固定機構を兼ねることができ、また、ネジを用いずに実現できる。よって、前キャビネットと後キャビネットとをネジ止めする場合に比べて部品点数や作業工数を削減できる。さらに、ネジを用いないため、組み合わせた前キャビネットと後キャビネットとの分解も容易である。そして、リブ受容部が前キャビネットの内壁に形成されることから、これらの連結は、前キャビネットおよび後キャビネットの内側で行える。この結果、前キャビネットや後キャビネットの大きさを被収容物の大きさに近づけ易くなり、前キャビネットの内壁と被収容物の端面との空間を小さくした、額縁を狭めるデザインが達成可能になる。
【００３１】
また、所定の被収容物の周囲に設けられた前キャビネットと、前記所定の被収容物の背面を覆う後キャビネットとを備え、前記前キャビネットに形成され、前記後キャビネットの内壁に配置されるように延びたリブ部および前記前キャビネットの内壁にて前記リブ部よりも内側に形成された爪部と、前記後キャビネットの内壁に形成され前記リブ部を受容するリブ受容部とを有し、該リブ受容部を前記リブ部および前記爪部で挟持してもよい。リブ受容部が後キャビネットの内壁との間でリブ部を受容し、このリブ受容部は前キャビネットに形成されたリブ部および爪部で挟んで支持されている。このため、前キャビネットに対する後キャビネットの位置決め機構と、前キャビネットおよび後キャビネットの固定機構を兼ねることができ、また、ネジを用いずに実現できる。よって、前キャビネットと後キャビネットとをネジ止めする場合に比べて部品点数や作業工数を削減できる。さらに、ネジを用いないため、組み合わせた前キャビネットと後キャビネットとの分解も容易である。そして、リブ受容部が後キャビネットの内壁に形成されることから、これらの連結は、前キャビネットおよび後キャビネットの内側で行える。この結果、前キャビネットや後キャビネットの大きさを被収容物の大きさに近づけ易くなり、前キャビネットの内壁と被収容物の端面との空間を小さくした、額縁を狭めるデザインが達成可能になる。
【００３２】
また、前記爪部が、環状に形成されると共に、前記前キャビネットと前記後キャビネットとを連結あるいは分解する場合、前記リブ受容部との接触によって撓んでもよい。この場合、キャビネットの強度不足を回避しつつ、キャビネットを曲げ続ける力も不要になる。
また、前記リブ受容部は、前記爪部の着脱方向に沿って傾斜方向の異なるテーパ面を有し、前記爪部を所定の挟持位置に装着する場合、前記爪部は、前記テーパ面に沿って前記リブ部から離れた後に前記リブ部に近づくことで前記リブ受容部を挟持し、前記爪部を前記リブ部との挟持位置から取り外す場合、前記爪部は、前記テーパ面に沿って前記リブ部から離れた後に前記リブ部に近づくことで前記リブ受容部から取り外されてもよい。この場合、爪部は、リブ部から離れた後にリブ部に近づくように移動するので、所定の挟持位置への装着や所定の挟持位置からの分解を容易に実施することができる。
また、前記所定の被収容物が表示モジュールであってもよく、この場合には、表示装置の額縁を容易に狭めることができる。
【符号の説明】
【００３３】
１…液晶表示装置、２…前キャビネット、２ａ，３ａ…上面、２ｂ，３ｂ…左面、２ｃ，３ｃ…下面、２ｄ，３ｄ…右面、２ｅ…突部、３…パネルモジュール、４…液晶パネル、５…背面シャーシ、６…電源基板、７…メイン基板、７ａ…外部接続端子、７ｂ…放熱板、７ｃ…カバー、８…後キャビネット、９…スタンド、１０…コード引出部、１１…端子引出部、１２…スロット、２０，３０…補強金具、４０，５０…内壁、４１，７１…リブ受容部、４２，７２…溝、４３，７３…テーパ面、５１，６１…リブ部、５２，６２…先端、５３，６３…爪部、５４，６４…ヘッド。